【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）によって、基地局から、サウンディング基準信号のために割り振られた無認可無線周波数スペクトル帯域の１つまたは複数のアップリンクインターレースのセットの指示を受信することと、ここにおいて、前記基地局は、前記無認可無線周波数スペクトル帯域で動作する、
前記無認可無線周波数スペクトル帯域の１つまたは複数のアップリンクインターレースの前記指示されたセットを介して前記ＵＥから前記基地局に前記サウンディング基準信号を送信することと
を備える、方法。
【請求項２】
前記基地局から、前記サウンディング基準信号が送信されるべきであるアップリンクサブフレームまたはアップリンクサブフレームのシンボルのうちの少なくとも１つの指示を受信すること
をさらに備える、請求項１に記載の方法。
【請求項３】
１つまたは複数のアップリンクインターレースの前記セットが複数のリソースブロックを備え、
前記方法が、１つまたは複数のアップリンクインターレースの前記セット内のリソースブロックのロケーションに少なくとも部分的に基づいて１つまたは複数のアップリンクインターレースの前記セットの前記リソースブロックのためのサウンディング基準信号シーケンスを決定すること
をさらに備える、請求項１に記載の方法。
【請求項４】
前記リソースブロックのための前記サウンディング基準信号シーケンスが、前記リソースブロックに関連するアップリンクインターレースに少なくとも部分的に基づく、請求項３に記載の方法。
【請求項５】
ＵＥ識別子またはセル識別子のうちの少なくとも１つを決定すること、
ここにおいて、前記リソースブロックのための前記サウンディング基準信号シーケンスが、前記ＵＥ識別子または前記セル識別子に少なくとも部分的に基づく、
をさらに備える、請求項３に記載の方法。
【請求項６】
１つまたは複数のアップリンクインターレースの前記セットの各アップリンクインターレースが、複数のサブキャリアを備える、ここにおいて、前記サウンディング基準信号を送信することが、
前記複数のサブキャリアからの１つまたは複数のサブキャリアを介して前記ＵＥのための前記サウンディング基準信号を送信すること
を備える、請求項１に記載の方法。
【請求項７】
フレーム中に前記サウンディング基準信号を送信するようにスケジュールされていないＵＥによるサウンディング基準信号送信のために１つまたは複数のアップリンクインターレースの前記セットが指定されているという指示を前記基地局から受信することと、
前記フレーム中に前記基地局に前記サウンディング基準信号を送信するように前記ＵＥがスケジュールされていないと決定することと、前記フレーム中に割り振られた物理アップリンク共有チャネル（ＰＵＳＣＨ）を前記ＵＥが有すると決定することとを行うことと、
ここにおいて、前記サウンディング基準信号が、前記決定に応答して１つまたは複数のアップリンクインターレースの前記セットを介して送信される、
をさらに備える、請求項１に記載の方法。
【請求項８】
前記サウンディング基準信号のために割り振られた１つまたは複数のアップリンクインターレースの前記セットが、前記基地局と前記ＵＥとの間の距離または前記ＵＥの送信電力のうちの少なくとも１つに少なくとも部分的に基づく、請求項１に記載の方法。
【請求項９】
ワイヤレス通信のためのユーザ機器（ＵＥ）内の装置であって、
基地局から、サウンディング基準信号のために割り振られた無認可無線周波数スペクトル帯域の１つまたは複数のアップリンクインターレースのセットの指示を受信するための手段と、ここにおいて、前記基地局は、前記無認可無線周波数スペクトル帯域で動作する、
前記無認可無線周波数スペクトル帯域の１つまたは複数のアップリンクインターレースの前記指示されたセットを介して前記ＵＥから前記基地局に前記サウンディング基準信号を送信するための手段と
を備える、装置。
【請求項１０】
前記基地局から、前記サウンディング基準信号が送信されるべきであるアップリンクサブフレームまたはアップリンクサブフレームのシンボルのうちの少なくとも１つの指示を受信するための手段
をさらに備える、請求項９に記載の装置。
【請求項１１】
１つまたは複数のアップリンクインターレースの前記セットが複数のリソースブロックを備える、ここにおいて、前記装置が、
１つまたは複数のアップリンクインターレースの前記セット内のリソースブロックのロケーションに少なくとも部分的に基づいて１つまたは複数のアップリンクインターレースの前記セットの前記リソースブロックのためのサウンディング基準信号シーケンスを決定するための手段
をさらに備える、請求項９に記載の装置。
【請求項１２】
前記リソースブロックのための前記サウンディング基準信号シーケンスが、前記リソースブロックに関連するアップリンクインターレースに少なくとも部分的に基づく、請求項１１に記載の装置。
【請求項１３】
ＵＥ識別子またはセル識別子のうちの少なくとも１つを決定するための手段、
ここにおいて、前記リソースブロックのための前記サウンディング基準信号シーケンスが、前記ＵＥ識別子または前記セル識別子に少なくとも部分的に基づく、
をさらに備える、請求項１１に記載の装置。
【請求項１４】
１つまたは複数のアップリンクインターレースの前記セットの各アップリンクインターレースが、複数のサブキャリアを備える、ここにおいて、前記装置が、
前記複数のサブキャリアからの１つまたは複数のサブキャリアを介して前記ＵＥのための前記サウンディング基準信号を送信するための手段
をさらに備える、請求項９に記載の装置。
【請求項１５】
フレーム中に前記サウンディング基準信号を送信するようにスケジュールされていないＵＥによるサウンディング基準信号送信のために１つまたは複数のアップリンクインターレースの前記セットが指定されているという指示を前記基地局から受信するための手段と、
前記フレーム中に前記基地局に前記サウンディング基準信号を送信するように前記ＵＥがスケジュールされていないと決定することと、前記フレーム中に割り振られた物理アップリンク共有チャネル（ＰＵＳＣＨ）を前記ＵＥが有すると決定することとを行うための手段と、
ここにおいて、前記サウンディング基準信号が、前記決定に応答して１つまたは複数のアップリンクインターレースの前記セットを介して送信される、
をさらに備える、請求項９に記載の装置。
【手続補正２】
【補正対象書類名】明細書
【補正対象項目名】０２９３
【補正方法】変更
【補正の内容】
【０２９３】
[0320]  本開示についての以上の説明は、当業者が本開示を作成または使用することができるように与えられたものである。本開示への様々な修正は当業者には容易に明らかとなり、本明細書で定義した一般原理は、本開示の範囲から逸脱することなく他の変形形態に適用され得る。従って、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
[Ｃ１]  ワイヤレス通信のための方法であって、
基地局から、サウンディング基準信号のために割り振られた無認可無線周波数スペクトル帯域の１つまたは複数のアップリンクインターレースのセットの指示を受信することと、
前記無認可無線周波数スペクトル帯域の１つまたは複数のアップリンクインターレースの前記指示されたセットを介してユーザ機器（ＵＥ）のための前記サウンディング基準信号を送信することと
を備える、方法。
[Ｃ２]  前記基地局から、前記サウンディング基準信号が送信されるべきであるアップリンクサブフレームまたはアップリンクサブフレームのシンボルのうちの少なくとも１つの指示を受信すること
をさらに備える、Ｃ１に記載の方法。
[Ｃ３]  １つまたは複数のアップリンクインターレースの前記セット内のリソースブロックのロケーションに少なくとも部分的に基づいて１つまたは複数のアップリンクインターレースの前記セットの前記リソースブロックのためのサウンディング基準信号シーケンスを決定すること
をさらに備える、１つまたは複数のアップリンクインターレースの前記セットが複数のリソースブロックを備える、Ｃ１に記載の方法。
[Ｃ４]  前記リソースブロックのための前記サウンディング基準信号シーケンスが、前記リソースブロックに関連するアップリンクインターレースに少なくとも部分的に基づく、Ｃ３に記載の方法。
[Ｃ５]  ＵＥ識別子またはセル識別子のうちの少なくとも１つを決定すること、
ここにおいて、前記リソースブロックのための前記サウンディング基準信号シーケンスが、前記ＵＥ識別子または前記セル識別子に少なくとも部分的に基づく、
をさらに備える、Ｃ３に記載の方法。
[Ｃ６]  １つまたは複数のアップリンクインターレースの前記セットの各アップリンクインターレースが、複数のサブキャリアを備える、ここにおいて、前記サウンディング基準信号を送信することが、
前記複数のサブキャリアから１つまたは複数のサブキャリアを介して前記ＵＥのための前記サウンディング基準信号を送信すること
を備える、Ｃ１に記載の方法。
[Ｃ７]  フレーム中に前記サウンディング基準信号を送信するようにスケジュールされていないＵＥによるサウンディング基準信号送信のために１つまたは複数のアップリンクインターレースの前記セットが指定されているという指示を前記基地局から受信することと、
前記フレーム中に前記基地局に前記サウンディング基準信号を送信するように前記ＵＥがスケジュールされていないと決定することと、前記フレーム中に割り振られた物理アップリンク共有チャネル（ＰＵＳＣＨ）を前記ＵＥが有すると決定することとを行うことと、
ここにおいて、前記サウンディング基準信号が、前記決定に応答して１つまたは複数のアップリンクインターレースの前記セットを介して送信される、
をさらに備える、Ｃ１に記載の方法。
[Ｃ８]  前記サウンディング基準信号のために割り振られた１つまたは複数のアップリンクインターレースの前記セットが、前記基地局と前記ＵＥとの間の距離または前記ＵＥの送信電力のうちの少なくとも１つに少なくとも部分的に基づく、Ｃ１に記載の方法。
[Ｃ９]  ワイヤレス通信のための装置であって、
基地局から、サウンディング基準信号のために割り振られた無認可無線周波数スペクトル帯域の１つまたは複数のアップリンクインターレースのセットの指示を受信するための手段と、
前記無認可無線周波数スペクトル帯域の１つまたは複数のアップリンクインターレースの前記指示されたセットを介してユーザ機器（ＵＥ）のための前記サウンディング基準信号を送信するための手段と
を備える、装置。
[Ｃ１０]  前記基地局から、前記サウンディング基準信号が送信されるべきであるアップリンクサブフレームまたはアップリンクサブフレームのシンボルのうちの少なくとも１つの指示を受信するための手段
をさらに備える、Ｃ９に記載の装置。
[Ｃ１１]  １つまたは複数のアップリンクインターレースの前記セットが複数のリソースブロックを備える、ここにおいて、前記装置が、
１つまたは複数のアップリンクインターレースの前記セット内のリソースブロックのロケーションに少なくとも部分的に基づいて１つまたは複数のアップリンクインターレースの前記セットの前記リソースブロックのためのサウンディング基準信号シーケンスを決定するための手段
をさらに備える、Ｃ９に記載の装置。
[Ｃ１２]  前記リソースブロックのための前記サウンディング基準信号シーケンスが、前記リソースブロックに関連するアップリンクインターレースに少なくとも部分的に基づく、Ｃ１１に記載の装置。
[Ｃ１３]  ＵＥ識別子またはセル識別子のうちの少なくとも１つを決定するための手段、
ここにおいて、前記リソースブロックのための前記サウンディング基準信号シーケンスが、前記ＵＥ識別子または前記セル識別子に少なくとも部分的に基づく、
をさらに備える、Ｃ１１に記載の装置。
[Ｃ１４]  １つまたは複数のアップリンクインターレースの前記セットの各アップリンクインターレースが、複数のサブキャリアを備える、ここにおいて、前記装置が、
前記複数のサブキャリアから１つまたは複数のサブキャリアを介して前記ＵＥのための前記サウンディング基準信号を送信するための手段
をさらに備える、Ｃ９に記載の装置。
[Ｃ１５]  フレーム中に前記サウンディング基準信号を送信するようにスケジュールされていないＵＥによるサウンディング基準信号送信のために１つまたは複数のアップリンクインターレースの前記セットが指定されているという指示を前記基地局から受信するための手段と、
前記フレーム中に前記基地局に前記サウンディング基準信号を送信するように前記ＵＥがスケジュールされていないと決定することと、前記フレーム中に割り振られた物理アップリンク共有チャネル（ＰＵＳＣＨ）を前記ＵＥが有すると決定することとを行うための手段と、
ここにおいて、前記サウンディング基準信号が、前記決定に応答して１つまたは複数のアップリンクインターレースの前記セットを介して送信される、
をさらに備える、Ｃ９に記載の装置。
[Ｃ１６]  前記サウンディング基準信号のために割り振られた１つまたは複数のアップリンクインターレースの前記セットが、前記基地局と前記ＵＥとの間の距離または前記ＵＥの送信電力のうちの少なくとも１つに少なくとも部分的に基づく、Ｃ９に記載の装置。
[Ｃ１７]  ワイヤレス通信のための方法であって、
物理アップリンク制御チャネル（ＰＵＣＣＨ）送信のために割り振られた無認可無線周波数スペクトル帯域のインターレースの指示を受信することと、
前記指示されたインターレースを介してスケジューリング要求とバッファステータス報告とを送信することと
を備える、方法。
[Ｃ１８]  前記指示されたインターレースを介して前記スケジューリング要求と前記バッファステータス報告とともに電力ヘッドルーム報告または論理グループ識別子のうちの少なくとも１つを送信すること
をさらに備える、Ｃ１７に記載の方法。
[Ｃ１９]  前記指示されたインターレースを介して少なくとも前記スケジューリング要求と前記バッファステータス報告とについての巡回冗長検査を送信することと、
前記指示されたインターレース中のビットの残りの数に少なくとも部分的に基づいて前記巡回冗長検査のサイズを調整することと
をさらに備える、Ｃ１７に記載の方法。
[Ｃ２０]  前記スケジューリング要求と前記バッファステータス報告とが、複数のあらかじめ定義された物理アップリンク制御チャネル（ＰＵＣＣＨ）フォーマットのうちの１つを使用して送信される、Ｃ１７に記載の方法。
[Ｃ２１]  前記バッファステータス報告のサイズまたは前記指示されたインターレースを介して送信されるべきペイロードのサイズのうちの少なくとも１つに少なくとも部分的に基づいてＰＵＣＣＨフォーマットを選択すること
をさらに備える、Ｃ２０に記載の方法。
[Ｃ２２]  前記指示されたインターレースを介した前記スケジューリング要求と前記バッファステータス報告との送信をアップリンク制御情報（ＵＣＩ）の送信と多重化すること
をさらに備える、Ｃ１７に記載の方法。
[Ｃ２３]  前記ＵＣＩが、論理グループ識別子肯定応答（ＡＣＫ）、否定応答（ＮＡＫ）、またはいくつかのチャネル品質インジケータ（ＣＱＩ）報告のうちの少なくとも１つを備える、Ｃ２２に記載の方法。
[Ｃ２４]  ワイヤレス通信のための装置であって、
物理アップリンク制御チャネル（ＰＵＣＣＨ）送信のために割り振られた無認可無線周波数スペクトル帯域のインターレースの指示を受信するための手段と、
前記指示されたインターレースを介してスケジューリング要求とバッファステータス報告とを送信するための手段と
を備える、装置。
[Ｃ２５]  前記指示されたインターレースを介して前記スケジューリング要求と前記バッファステータス報告とともに電力ヘッドルーム報告または論理グループ識別子のうちの少なくとも１つを送信するための手段
をさらに備える、Ｃ２４に記載の装置。
[Ｃ２６]  前記指示されたインターレースを介して少なくとも前記スケジューリング要求と前記バッファステータス報告とについての巡回冗長検査を送信するための手段と、
前記指示されたインターレース中のビットの残りの数に少なくとも部分的に基づいて前記巡回冗長検査のサイズを調整するための手段と
をさらに備える、Ｃ２４に記載の装置。
[Ｃ２７]  前記スケジューリング要求と前記バッファステータス報告とが、複数のあらかじめ定義された物理アップリンク制御チャネル（ＰＵＣＣＨ）フォーマットのうちの１つを使用して送信される、Ｃ２４に記載の装置。
[Ｃ２８]  前記バッファステータス報告のサイズまたは前記指示されたインターレースを介して送信されるべきペイロードのサイズのうちの少なくとも１つに少なくとも部分的に基づいてＰＵＣＣＨフォーマットを選択するための手段
をさらに備える、Ｃ２７に記載の装置。
[Ｃ２９]  前記指示されたインターレースを介した前記スケジューリング要求と前記バッファステータス報告との送信をアップリンク制御情報（ＵＣＩ）の送信と多重化するための手段  をさらに備える、Ｃ２４に記載の装置。
[Ｃ３０]  前記ＵＣＩが、指示肯定応答（ＡＣＫ）、否定応答（ＮＡＫ）、またはいくつかのチャネル品質インジケータ（ＣＱＩ）報告のうちの少なくとも１つを備える、Ｃ２９に記載の装置。